(57)【要約】【課題】冷却手段や加熱手段を動作させることにより発生する火花で可燃性冷媒が爆発することを防ぎ、万が一可燃性冷媒が漏れている場合においても、より安全な状態で冷却手段および加熱手段を動作させること。【解決手段】商品を冷却するための冷却手段１１と、商品を加熱するための加熱手段１２と、冷却手段１１と加熱手段１２がある機械室の漏れ冷媒を拡散させ凝縮機に送風するためのファン１３と、冷却手段１１と加熱手段１２とファン１３とに接続された演算制御部２０ａを備えることにより、電源投入時、万が一可燃性冷媒が漏れている場合においても、冷却手段１１および加熱手段１２を動作させる前にファン１３を予め決められた一定時間動作させることで、可燃性冷媒を拡散させるものである。【選択図】図１
2005135275.tif 000002
【特許請求の範囲】
【請求項１】
商品を冷却するための可燃性冷媒を用いた冷却手段と商品を加温する加温手段を機械室に配置し、前記機械室に設けた凝縮機に送風するためのファンと、前記冷却手段と前記加熱手段と前記ファンとに接続された演算制御部を備え、前記演算制御部は前記冷却手段と前記加熱手段の少なくとも一方を動作させる前に、前記ファンを予め決められた一定時間動作させることを特徴とした自動販売機の制御装置。
【請求項２】
前記ファンの故障を検知するための故障検知手段を備え、前記演算制御部は、前記冷却手段と前記加熱手段を動作させる前に、前記ファンを予め決められた一定時間動作させている際に前記故障検知手段が前記ファンの故障を検知した場合、前記冷却手段と前記加熱手段を動作させないことを特徴とした請求項１に記載の可燃性冷媒を用いた自動販売機の制御装置。
【請求項３】
前記ファンが故障したときに動作する緊急時ファンと、前記ファンと前記緊急時ファンの故障を検知するための故障検知手段を備え、前記演算制御部は、前記冷却手段と前記加熱手段を動作させる前に、前記ファンを予め決められた一定時間動作させている際に前記故障検知手段が前記ファンの故障を検知した場合、前記緊急時ファンを予め決められた一定時間動作させ、その間に前記故障検知手段が前記緊急時ファンの故障を検知した場合、前記冷却手段と前記加熱手段を動作させないことを特徴とした請求項１または２に記載の可燃性冷媒を用いた自動販売機の制御装置。
【請求項４】
前記冷却手段と前記加熱手段の動作状態を表示するための表示手段を備え、前記演算制御部は、前記冷却手段と前記加熱手段を動作させる前に、前記ファンを予め決められた一定時間動作させた際に、前記冷却手段と前記加熱手段の動作状態を前記表示手段にて知らせることを特徴とした請求項１から３のいずれか一項に記載の可燃性冷媒を用いた自動販売機の制御装置。
【請求項５】
前記冷却手段と前記加熱手段の動作状態を音にて知らせる発音手段を備え、前記演算制御部は、前記冷却手段と前記加熱手段を動作させる前に、前記ファンを予め決められた一定時間動作させた際に、前記冷却手段と前記加熱手段の動作状態を前記発音手段にて知らせることを特徴とした請求項１から４のいずれか一項に記載の可燃性冷媒を用いた自動販売機の制御装置。
【発明の詳細な説明】
【技術分野】
【０００１】
本発明は可燃性冷媒を冷却装置として用いた自動販売機の制御装置に関するものである。
【背景技術】
【０００２】
従来、この種の自動販売機の制御装置は、可燃性冷媒の漏洩を検知する冷媒漏れ検知手段を設けて、冷媒漏れが発生した場合は冷凍サイクルを停止している（例えば、特許文献１参照）。
【０００３】
図１１は、特許文献１に記載された従来の自動販売機の制御装置を示すものである。図１１に示すように、電気機器を制御する制御部１と、蒸気を圧縮する圧縮機２と商品を加熱するための電熱ヒータ３と冷媒漏れを検知する冷媒漏洩装置４と冷媒漏れを周囲の人にブザーまたは警告灯にて知らせる警報装置５とその他の機器である各種機器６とから構成されている。
【特許文献１】特開２００１−９３０３９号公報
【発明の開示】
【発明が解決しようとする課題】
【０００４】
しかしながら、前記従来の構成では、電源投入時、万が一可燃性冷媒が漏れている場合、冷却手段や加熱手段の電気機器を動作させることにより発生する火花で可燃性冷媒が爆発するという課題を有していた。
【０００５】
本発明は、前記従来の課題を解決するもので、電源投入時、冷却手段や加熱手段を動作させることにより発生する火花で可燃性冷媒が爆発することを防ぎ、万が一可燃性冷媒が漏れている場合においても、より安全な状態で冷却手段および加熱手段を動作させることができる自動販売機の制御装置を提供することを目的とする。
【課題を解決するための手段】
【０００６】
前記従来の課題を解決するために、本発明の自動販売機の制御装置は、冷却手段および加熱手段を動作させる前にファンを予め決められた一定時間動作させるとしたものである。
【０００７】
これによって、電源投入時、冷却手段および加熱手段を動作させる前にファンを予め決められた一定時間動作させることにより、万が一可燃性冷媒が漏れている場合においても、可燃性冷媒を拡散させるものとなる。
【発明の効果】
【０００８】
本発明の自動販売機の制御装置は、電源投入時、万が一可燃性冷媒が漏れている場合においても、冷却手段および加熱手段を動作させる前にファンを予め決められた一定時間動作させることにより、漏洩した可燃性冷媒を拡散させることで、冷却手段および加熱手段の動作により発生する火花で可燃性冷媒が爆発することを防止し、より安全な状態で冷却手段および加熱手段を動作させることができる。
【発明を実施するための最良の形態】
【０００９】
請求項１に記載の発明は、商品を冷却するための冷却手段と、商品を加熱するための加熱手段と、前記冷却手段と前記加熱手段がある機械室の漏れ冷媒を拡散させ凝縮機に送風するためのファンと、前記冷却手段と前記加熱手段と前記ファンとに接続された演算制御部を備え、前記演算制御部は、前記冷却手段と前記加熱手段を動作させる前に、前記ファンを予め決められた一定時間動作させることにより、電源投入時、万が一可燃性冷媒が漏れている場合においても、前記冷却手段および前記加熱手段を動作させる前に前記ファンにより可燃性冷媒を拡散させることで、前記冷却手段および前記加熱手段の動作により発生する火花で可燃性冷媒が爆発することを防止し、より安全な状態で前記冷却手段および前記加熱手段を動作させることができる。
【００１０】
請求項２に記載の発明は、請求項１に記載の発明の自動販売機の制御装置に前記ファンの故障を検知するための故障検知手段を備え、前記冷却手段と前記加熱手段と前記ファンと前記故障検知手段とに接続された演算制御部にすることにより、前記演算制御部は、前記冷却手段と前記加熱手段を動作させる前に、前記ファンを予め決められた一定時間動作させている際に前記故障検知手段が前記ファンの故障を検知した場合、前記冷却手段と前記加熱手段を動作させないとすることにより、電源投入時、万が一漏れた可燃性冷媒を前記ファンの故障により拡散できない場合、前記冷却手段および前記加熱手段を動作させないことで、前記冷却手段および前記加熱手段の動作により発生する火花で可燃性冷媒が爆発することを防止し、より安全な状態を保つことができる。
【００１１】
請求項３に記載の発明は、特に、請求項１または請求項２に記載の発明の自動販売機の制御装置に前記ファンが故障したときに動作する緊急時ファンと、前記ファンと前記緊急時ファンの故障を検知するための故障検知手段を備え、前記冷却手段と前記加熱手段と前記ファンと前記緊急時ファンと前記故障検知手段とに接続された演算制御部とすることにより、前記演算制御部は、前記冷却手段と前記加熱手段を動作させる前に、前記ファンを予め決められた一定時間動作させている際に前記故障検知手段が前記ファンの故障を検知した場合、前記緊急時ファンを予め決められた一定時間動作させ、その間に前記故障検知手段が前記緊急時ファンの故障を検知した場合、前記冷却手段と前記加熱手段を動作させないとすることにより、電源投入時、万が一可燃性冷媒が漏れて前記ファンの故障により可燃性冷媒を拡散できない場合においても、前記緊急時ファンにより可燃性冷媒を拡散させることで、前記冷却手段および前記加熱手段の動作により発生する火花で可燃性冷媒が爆発することを防止し、より安全な状態で前記冷却手段および前記加熱手段を動作させることができ、さらに前記ファンと前記緊急時ファンが故障した場合は前記冷却手段と前記加熱手段を動作させないことより、前記ファン単独の場合より安全な状態を保つことができる。
【００１２】
請求項４に記載の発明は、特に、請求項１から３のいずれか１つに記載の発明の自動販売機の制御装置に前記冷却手段と前記加熱手段の動作状態を表示するための表示手段を備え、前記演算制御部は、前記冷却手段と前記加熱手段を動作させる前に、前記ファンを予め決められた一定時間動作させた際に、前記冷却手段と前記加熱手段の動作状態を前記表示手段にて知らせることにより、電源投入時、オペレーターが前記表示手段にて前記冷却手段と前記加熱手段の動作状態を認識でき、万が一前記冷却手段と前記加熱手段の動作を開始できないと認識した場合は、自動販売機の製造業社に連絡することで、より早い自動販売機の正常動作復帰が可能となる。
【００１３】
請求項５に記載の発明は、請求項１から４のいずれか１つに記載の発明の自動販売機の制御装置に前記冷却手段と前記加熱手段の動作状態を音にて知らせる発音手段を備え、前記演算制御部は、前記冷却手段と前記加熱手段を動作させる前に、前記ファンを予め決められた一定時間動作させた際に、前記冷却手段と前記加熱手段の動作状態を前記発音手段にて知らせることにより、電源投入時、オペレーターが前記冷却手段と前記加熱手段の動作状態を自動販売機から離れていても認識でき、万が一前記冷却手段と前記加熱手段の動作を開始できないと認識した場合は、自動販売機の製造業社に連絡することで、より早い自動販売機の正常動作復帰が可能となる。
【００１４】
以下、本発明の実施の形態について、図面を参照しながら説明する。なお、この実施の形態によって本発明が限定されるものではない。
【００１５】
（実施の形態１）
図１は、本発明の実施の形態１における自動販売機の制御装置の機能ブロック図を示すものである。図２は、同実施の形態の自動販売機の制御装置の動作を示すフローチャートである。
【００１６】
図１において、商品を冷却するための冷却手段１１（蒸発器と圧縮機と凝縮機を含む冷凍サイクル）と、加熱手段１２（ヒータ）と、冷却手段１１と加熱手段１２がある機械室の漏れ冷媒を拡散させ凝縮機に送風するためのファン１３と、冷却手段１１と加熱手段１２とファン１３とに接続された演算制御部２０ａとから構成されている。
【００１７】
以上のように構成された自動販売機の制御装置について、以下その動作、作用を図２のフローチャートを用いて説明する。
【００１８】
まず、電源投入時、演算制御部２０ａは、冷却手段１１と加熱手段１２を動作させる前にファン１３を動作させる（ステップ１）。ステップ２で予め決められた一定時間ファン１３を動作させれば、冷却手段１１と加熱手段１２を動作させる（ステップ３）。
【００１９】
以上のように、本実施の形態においては、商品を冷却するための冷却手段１１と、商品を加熱するための加熱手段１２と、冷却手段１１と加熱手段１２がある機械室の漏れ冷媒を拡散させ凝縮機に送風するためのファン１３と、冷却手段１１と加熱手段１２とファン１３とに接続された演算制御部２０ａを備えることにより、電源投入時、万が一可燃性冷媒が漏れている場合においても、冷却手段１１および加熱手段１２を動作させる前にファン１３を予め決められた一定時間動作させることにより可燃性冷媒を拡散させることで、冷却手段１１および加熱手段１２の動作により発生する火花で可燃性冷媒が爆発することを防止し、より安全な状態で冷却手段１１および加熱手段１２を動作させることができる。
【００２０】
（実施の形態２）
図３は、本発明の実施の形態２における自動販売機の制御装置の機能ブロック図を示すものである。図４は、同実施の形態の自動販売機の制御装置の動作を示すフローチャートである。
【００２１】
図３において、故障検知手段１４ａは、ファン１３の故障を検知するものとなっている。
【００２２】
本実施の形態は、実施の形態１による自動販売機の制御装置にさらに、故障検知手段１４ａを設けたものである。
【００２３】
以上のように構成された自動販売機の制御装置について、以下その動作、作用を図４のフローチャートを用いて説明する。
【００２４】
まず、電源投入時、演算制御部２０ｂは、冷却手段１１と加熱手段１２を動作させる前にファン１３を動作させる（ステップ４）。
【００２５】
ステップ５・ステップ６で予め決められた一定時間ファン１３を動作させ、その間に故障検知手段１４ａにてファン１３の故障が検知されなければ、冷却手段１１と加熱手段１２を動作させる（ステップ７）。
【００２６】
一方、ステップ５・ステップ６で予め決められた一定時間ファン１３を動作させ、その間に故障検知手段１４ａにてファン１３の故障が検知されれば、冷却手段１１と加熱手段１２を動作させない（ステップ８）。
【００２７】
以上のように、本実施の形態においては、商品を冷却するための冷却手段１１（蒸発器と圧縮機と凝縮機を含む冷凍サイクル）と、加熱手段１２（ヒータ）と、冷却手段１１と加熱手段１２がある機械室の漏れ冷媒を拡散させ凝縮機に送風するためのファン１３と、ファン１３の故障を検知するための故障検知手段１４ａと、冷却手段１１と加熱手段１２とファン１３と故障検知手段１４ａとに接続された演算制御部２０ｂを備えることにより、電源投入時、万が一漏れた可燃性冷媒をファン１３の故障により拡散できない場合、冷却手段１１および加熱手段１２を動作させないことで、冷却手段１１および加熱手段１２の動作により発生する火花で可燃性冷媒が爆発することを防止し、より安全な状態を保つことができる。
【００２８】
（実施の形態３）
図５は、本発明の実施の形態３における自動販売機の制御装置の機能ブロック図を示すものである。図６は、同実施の形態の自動販売機の制御装置の動作を示すフローチャートである。
【００２９】
図５において、故障検知手段１４ｂは、ファン１３と緊急時ファン１５の故障を検知するものとなっている。
【００３０】
本実施の形態は、実施の形態１または２による自動販売機の制御装置にさらに、故障検知手段１４ｂと緊急時ファン１５を設けたものである。
【００３１】
以上のように構成された自動販売機の制御装置について、以下その動作、作用を図６のフローチャートを用いて説明する。
【００３２】
まず、電源投入時、演算制御部２０ｃは、冷却手段１１と加熱手段１２を動作させる前にファン１３を動作させる（ステップ９）。
【００３３】
ステップ１０・ステップ１１で予め決められた一定時間ファン１３を動作させ、その間に故障検知手段１４ｂにてファン１３の故障が検知されなければ、冷却手段１１と加熱手段１２を動作させる（ステップ１２）。
【００３４】
一方、ステップ１０・ステップ１１で予め決められた一定時間ファン１３を動作させ、その間に故障検知手段１４ｂにてファン１３の故障が検知されれば、緊急時ファン１５を動作させる（ステップ１３）。
【００３５】
ステップ１４・ステップ１５で予め決められた一定時間緊急時ファン１５を動作させ、その間に故障検知手段１４ｂにて緊急時ファン１５の故障が検知されなければ、冷却手段１１と加熱手段１２を動作させる（ステップ１２）。
【００３６】
一方、ステップ１４・ステップ１５で予め決められた一定時間緊急時ファン１５を動作させ、その間に故障検知手段１４ｂにて緊急時ファン１５の故障が検知されれば、冷却手段１１と加熱手段１２を動作させない（ステップ１６）。
【００３７】
以上のように、本実施の形態においては、商品を冷却するための冷却手段１１（蒸発器と圧縮機と凝縮機を含む冷凍サイクル）と、加熱手段１２（ヒータ）と、冷却手段１１と加熱手段１２がある機械室の漏れ冷媒を拡散させ凝縮機に送風するためのファン１３と、ファン１３が故障したときに動作し冷却手段１１と加熱手段１２がある機械室の漏れ冷媒を拡散させ凝縮機に送風するための緊急時ファン１５と、ファン１３と緊急時ファン１５の故障を検知するための故障検知手段１４ｂと、冷却手段１１と加熱手段１２とファン１３と緊急時ファン１５と故障検知手段１４ｂとに接続された演算制御部２０ｃを備えることにより、電源投入時、万が一可燃性冷媒が漏れてファン１３の故障により可燃性冷媒を拡散できない場合においても、緊急時ファン１５により可燃性冷媒を拡散させることで、冷却手段１１および加熱手段１２の動作により発生する火花で可燃性冷媒が爆発することを防止し、より安全な状態で冷却手段１１および加熱手段１２を動作させることができ、さらにファン１３と緊急時ファン１５が故障した場合は冷却手段１１と加熱手段１２を動作させないことより、ファン１３単独の場合より安全な状態を保つことができる。
【００３８】
（実施の形態４）
図７は、本発明の実施の形態４における自動販売機の制御装置の機能ブロック図を示すものである。図８は同実施の形態の自動販売機の制御装置の動作を示すフローチャートである。
【００３９】
図７において、表示手段１６は、冷却手段１１と加熱手段１２の動作状態を表示するためのものとなっている。
【００４０】
本実施の形態は、実施の形態１から３による自動販売機の制御装置にさらに、表示手段１６を設けたものである。
【００４１】
以上のように構成された自動販売機の制御装置について、以下その動作、作用を図８のフローチャートを用いて説明する。
【００４２】
まず、電源投入時、演算制御部２０ｄは、冷却手段１１と加熱手段１２を動作させる前にファン１３を動作させる（ステップ１７）。
【００４３】
ステップ１８・ステップ１９で予め決められた一定時間ファン１３を動作させ、その間に故障検知手段１４ｂにてファン１３の故障が検知されなければ、冷却手段１１と加熱手段１２を動作させ（ステップ２０）、表示手段１６に冷却手段１１および加熱手段１２が動作開始できることを表示させる（ステップ２１）。
【００４４】
一方、ステップ１８・ステップ１９で予め決められた一定時間ファン１３を動作させ、その間に故障検知手段１４ｂにてファン１３の故障が検知されれば、緊急時ファン１５を動作させる（ステップ２２）。
【００４５】
ステップ２３・ステップ２４で予め決められた一定時間緊急時ファン１５を動作させ、その間に故障検知手段１４ｂにて緊急時ファン１５の故障が検知されなければ、冷却手段１１と加熱手段１２を動作させ（ステップ２０）、表示手段１６に冷却手段１１および加熱手段１２が動作開始できることを表示させる（ステップ２１）。
【００４６】
一方、ステップ２３・ステップ２４で予め決められた一定時間緊急時ファン１５を動作させ、その間に故障検知手段１４ｂにて緊急時ファン１５の故障が検知されれば、冷却手段１１と加熱手段１２を動作させず（ステップ２５）、表示手段１６に冷却手段１１および加熱手段１２が動作開始できないことを表示させる（ステップ２６）。
【００４７】
以上のように、本実施の形態においては、商品を冷却するための冷却手段１１（蒸発器と圧縮機と凝縮機を含む冷凍サイクル）と、加熱手段１２（ヒータ）と、冷却手段１１と加熱手段１２がある機械室の漏れ冷媒を拡散させ凝縮機に送風するためのファン１３と、ファン１３が故障したときに動作し冷却手段１１と加熱手段１２がある機械室の漏れ冷媒を拡散させ凝縮機に送風するための緊急時ファン１５と、ファン１３と緊急時ファン１５の故障を検知するための故障検知手段１４ｂと、冷却手段１１と加熱手段１２の動作状態を表示するための表示手段１６と、冷却手段１１と加熱手段１２とファン１３と緊急時ファン１５と故障検知手段１４ｂと表示手段１６に接続された演算制御部２０ｄを備えることにより、電源投入時、オペレーターが冷却手段１１と加熱手段１２の動作状態を認識でき、万が一冷却手段１１と加熱手段１２の動作を開始できないと認識した場合は、自動販売機の製造業社に連絡できることで、より早い自動販売機の正常動作復帰が可能となる。
【００４８】
（実施の形態５）
図９は、本発明の実施の形態５における自動販売機の制御装置の機能ブロック図を示すものである。図１０は同実施の形態の自動販売機の制御装置の動作を示すフローチャートである。
【００４９】
図９において、発音手段１７は、冷却手段１１と加熱手段１２の動作状態を音にて知らせるためのものとなっている。
【００５０】
本実施の形態は、実施の形態１から４による自動販売機の制御装置にさらに、発音手段１７を設けたものである。
【００５１】
以上のように構成された自動販売機の制御装置について、以下その動作、作用を図１０のフローチャートを用いて説明する。
【００５２】
まず、電源投入時、演算制御部２０ｅは、冷却手段１１と加熱手段１２を動作させる前にファン１３を動作させる（ステップ２７）。
【００５３】
ステップ２８・ステップ２９で予め決められた一定時間ファン１３を動作させ、その間に故障検知手段１４ｂにてファン１３の故障が検知されなければ、冷却手段１１と加熱手段１２を動作させ（ステップ３０）、表示手段１６に冷却手段１１および加熱手段１２が動作開始できることを表示させ（ステップ３１）、発音手段１７にて冷却手段１１および加熱手段１２が動作開始できることをチャイム音にて知らせる（ステップ３２）。
【００５４】
一方、ステップ２８・ステップ２９で予め決められた一定時間ファン１３を動作させ、その間に故障検知手段１４ｂにてファン１３の故障が検知されれば、緊急時ファン１５を動作させる（ステップ３３）。
【００５５】
ステップ３４・ステップ３５で予め決められた一定時間緊急時ファン１５を動作させ、その間に故障検知手段１４ｂにて緊急時ファン１５の故障が検知されなければ、冷却手段１１と加熱手段１２を動作させ（ステップ３０）、表示手段１６に冷却手段１１および加熱手段１２が動作開始できることを表示させ（ステップ３１）、発音手段１７にて冷却手段１１および加熱手段１２が動作開始できることをチャイム音にて知らせる（ステップ３２）。
【００５６】
一方、ステップ３４・ステップ３５で予め決められた一定時間緊急時ファン１５を動作させ、その間に故障検知手段１４ｂにて緊急時ファン１５の故障が検知されれば、冷却手段１１と加熱手段１２を動作させず（ステップ３６）、表示手段１６に冷却手段１１および加熱手段１２が動作開始できないことを表示させ（ステップ３７）、発音手段１７にて冷却手段１１および加熱手段１２が動作開始できないことを警告音にて知らせる（ステップ３８）。
【００５７】
以上のように、本実施の形態においては、商品を冷却するための冷却手段１１（蒸発器と圧縮機と凝縮機を含む冷凍サイクル）と、加熱手段１２（ヒータ）と、冷却手段１１と加熱手段１２がある機械室の漏れ冷媒を拡散させ凝縮機に送風するためのファン１３と、ファン１３が故障したときに動作し冷却手段１１と加熱手段１２がある機械室の漏れ冷媒を拡散させ凝縮機に送風するための緊急時ファン１５と、ファン１３と緊急時ファン１５の故障を検知するための故障検知手段１４ｂと、冷却手段１１と加熱手段１２の動作状態を表示するための表示手段１６と、冷却手段１１と加熱手段１２の動作状態を音にて知らせるための発音手段１７と、冷却手段１１と加熱手段１２とファン１３と緊急時ファン１５と故障検知手段１４ｂと表示手段１６と発音手段１７とに接続された演算制御部２０ｅを備えることにより、電源投入時、オペレーターが発音手段１７にて冷却手段１１と加熱手段１２の動作状態を自動販売機から離れていても認識でき、万が一冷却手段１１と加熱手段１２の動作を開始できないと認識した場合は、自動販売機の製造業社に連絡できることで、より早い自動販売機の正常動作復帰が可能となる。
【産業上の利用可能性】
【００５８】
本発明の自動販売機の制御装置は、電源投入時、万が一可燃性冷媒が漏れている場合においても、漏洩した可燃性冷媒を拡散させることで、冷却手段および加熱手段の動作により発生する火花で可燃性冷媒が爆発することを防止し、より安全な状態で冷却手段および加熱手段を動作させることができるので、可燃性冷媒を用いた冷凍機器の用途にも適用できる。
【図面の簡単な説明】
【００５９】
【図１】本発明の実施の形態１における自動販売機の制御装置の機能ブロック図
【図２】本発明の実施の形態１における自動販売機の制御装置の動作を示すフローチャート
【図３】本発明の実施の形態２における自動販売機の制御装置の機能ブロック図
【図４】本発明の実施の形態２における自動販売機の制御装置の動作を示すフローチャート
【図５】本発明の実施の形態３における自動販売機の制御装置の機能ブロック図
【図６】本発明の実施の形態３における自動販売機の制御装置の動作を示すフローチャート
【図７】本発明の実施の形態４における自動販売機の制御装置の機能ブロック図
【図８】本発明の実施の形態４における自動販売機の制御装置の動作を示すフローチャート
【図９】本発明の実施の形態５における自動販売機の制御装置の機能ブロック図
【図１０】本発明の実施の形態６における自動販売機の制御装置の動作を示すフローチャート
【図１１】従来の自動販売機の制御装置の機能ブロック図
【符号の説明】
【００６０】
１１    冷却手段
１２    加熱手段
１３    ファン
１４ａ、１４ｂ    故障検知手段
１５    緊急時ファン
１６    表示手段
１７    発音手段
２０ａ、２０ｂ、２０ｃ、２０ｄ、２０ｅ    演算制御部
【図１】
2005135275.tif 000003
【図２】
2005135275.tif 000004
【図３】
2005135275.tif 000005
【図４】
2005135275.tif 000006
【図５】
2005135275.tif 000007
【図６】
2005135275.tif 000008
【図７】
2005135275.tif 000009
【図８】
2005135275.tif 000010
【図９】
2005135275.tif 000011
【図１０】
2005135275.tif 000012
【図１１】
2005135275.tif 000013